(57)【特許請求の範囲】
【請求項１】
第１嫌気処理部および第２嫌気処理部を備えた単独処理浄化槽と、接触曝気槽および沈殿槽および消毒槽を備えた合併処理化装置と、前記単独処理浄化槽の流出口と前記合併処理化浄化装置の流入口を接続する配管と、前記単独処理浄化槽の流入口に排水を流入させるための配管を設け、浴槽排水配管を消毒槽に直接接続したことを特徴とする合併処理浄化槽。
【請求項２】
請求項１において、前記浴槽排水配管は、途中に流量調整弁を備えたことを特徴とする合併処理浄化槽。
【請求項３】
請求項１又は２において、前記合併処理化装置は、流入する処理水を貯留する流量調整槽を備えたことを特徴とする合併処理浄化槽。
【発明の詳細な説明】
【０００１】
【発明の属する技術分野】
本発明は、合併処理浄化槽に関する。
【０００２】
【従来の技術】
屎尿の浄化処理は、単独処理浄化槽を用いて行っている。
【０００３】
図８は、従来の分離接触曝気方式の単独処理浄化槽を示す縦断側面図である。この単独処理浄化槽１は、屎尿を流入口２から沈殿分離室３へ流入させて固液分離および嫌気処理を行い、接触曝気室４へ移流する。接触曝気室４は、移流した処理水を散気管７から散気した空気の泡によって撹拌して接触材８に接触させ、栄養基質を酸化させて徐々に除去する。接触材８は、撹拌を継続すると生物膜が厚く堆積して閉塞するので、定期的に逆洗管９から空気泡を吐出することにより接触材８から生物膜を剥離させる。接触曝気室４を通過した処理水は、沈殿室５にて固形分の沈殿分離を行い、上澄み液を消毒槽６へ移流させて滅菌処理して流出口１０から放流する。１１は、消毒剤容器である。
【０００４】
【発明が解決しようとする課題】
この単独処理浄化槽は、処理すべき汚水の種類が屎尿に限定され、台所排水，洗濯排水，洗面排水および浴槽排水などの生活排水を処理することができないという問題がある。
【０００５】
この問題は、既設の単独処理浄化槽を撤去して新たな合併処理浄化槽を設置することにより解決することができるが、施工費用が高額となるばかりでなく、多くの単独処理浄化槽がＦＲＰ製であることから、不要になった単独処理浄化槽の処分に関しても新たな問題が発生する。
【０００６】
また、単独処理浄化槽を掘り起こすことなく埋め殺すようにすれば廃棄物処分の問題は生じないものの土地の有効活用ができなくなる問題がある。
【０００７】
本発明の目的は、既設の単独処理浄化槽を有効活用して実現することができる合併処理浄化槽およびそのための合併処理化装置を提案することにある。
【０００８】
【課題を解決するための手段】
本発明は、第１嫌気処理部および第２嫌気処理部を備えた単独処理浄化槽と、接触曝気槽および沈殿槽および消毒槽を備えた合併処理化装置と、前記単独処理浄化槽の流入口に排水を流入させるための配管を設け、浴槽排水配管を消毒槽に直接接続したことを特徴とする。
【００１０】
また、前記浴槽排水配管は、途中に流量調整弁を備えたことを特徴とする。
【００１１】
また、前記合併処理化装置は、流入する処理水を貯留する流量調整槽を備えたことを特徴とする。
【００１２】
【発明の実施の形態】
本発明における単独処理浄化槽は、第１嫌気処理部と第２嫌気処理部を備える。このような単独処理浄化槽は、既設または既存の単独処理浄化槽における沈殿分離室および空気供給を停止させた接触曝気室を利用して構成することができる。
【００１３】
具体的には、従来の技術にて説明したように、流入口および流出口を有し、内部に上流側から沈殿分離室，接触曝気室，沈殿室，消毒室を設けたものを好適に利用することができる。
【００１４】
第１嫌気処理部は、沈殿分離室のように濾材等が充填されていない場合には、既設の単独処理浄化槽の沈殿分離室に嫌気濾材を充填して構成することが好ましい。更に好ましくは、嫌気濾材は不規則充填のものが良い。これは、空気で強制的に攪拌しない嫌気処理法では、不規則充填の方が処理水が拡散し易く室内をより広く有効に使うことができるからである。
【００１５】
第２嫌気処理部は、接触曝気室の空気供給を停止して構成する。接触曝気室に設置してあった散気管は取り外しても良く、また、接触曝気室に好気濾材（接触材）が設置してあった場合には取り外しても良いが、好ましくはそのまま嫌気濾材として使用する。更に好ましくは、不規則充填の嫌気濾材と入れ替える。これは、多くの場合、好気濾材は規則充填されており、空気で強制的に攪拌しない嫌気処理法では、不規則充填の方が処理水が拡散し易く室内をより広く有効に使うことができるからである。
【００１６】
本発明に用いる合併処理化装置は、少なくとも好気処理を行うための接触曝気槽および沈殿槽および消毒滅菌を行うための消毒槽を備えたものであれば、それ以外に特に限定されるものではなく、前記接触曝気槽は、好気濾材を有し、底部に散気管および逆洗管を配置したものであることが好ましい。
【００１７】
接触曝気槽は、単独処理浄化槽から移流してきた処理水を、底部に配置した散気管から吐出する空気泡により撹拌して好気処理を行う部分である。処理水は、撹拌により、接触曝気室内に設けた接触材に生成した生物膜に接触し、好気性微生物により有機物の分解およびアンモニアの硝化が行われる。撹拌を継続すると、接触材表面に生成した生物膜が厚く堆積し閉塞してしまうので、接触材の下部に設けた逆洗管より吐出する空気泡により定期的に生物膜の剥離を行う。剥離した生物膜は、単独処理浄化槽の第１嫌気処理部へ返送する。
【００１８】
単独処理浄化槽と合併処理化装置との配管接続は、単独処理浄化槽の流出口と合併処理化装置の流入口との間を接続することにより行う。単独処理浄化槽の流出口の上流側に消毒槽を設けている場合には、消毒に使用する消毒剤容器を取り除くようにする。浴槽排水は、他の生活雑排水と比較して汚れが少なく、量が多いために、単独処理浄化槽を通過させることなく、浴槽排水用の浴槽排水配管を別に設け、浴槽排水だけは合併処理浄化槽の消毒槽を通過させて消毒滅菌してから系外へ放流するようにする。
【００１９】
浴槽排水配管には、流量調整弁を設けることが好ましく、この流量調整弁により浴槽排水あるいは洗濯排水を合併処理化装置に流入させる際に、流入量変動を小さくして接触曝気槽の好気処理を効率良く行ったり、合併処理化装置の消毒槽を通過させる処理水の流入量変動を小さくし、消毒槽に流入した処理水の消毒滅菌を効率良く行うために使用する。
【００２０】
また、合併処理化装置には、その合併処理化装置と一体化させた流量調整槽または合併処理化装置と配管接続する別体の流量調整槽を設けることが好ましい。この流量調整槽は、生物処理を行う槽への処理水の流入量変動を小さくし、好気処理を効率良く行うために使用する。
【００２１】
ところで、洗濯排水は浴槽排水よりも汚れの量が多いものの、台所排水に比べては少ない。そこで、洗濯排水も前記浴槽排水用の浴槽排水配管に流入させて、浴槽排水と同様に既設単独処理浄化槽を通さずに合併処理化装置に流入させ処理させ、または、消毒滅菌して放流する。但し、洗濯排水を浴槽排水配管に流入させる場合には、前記流量調整弁は、洗濯排水が浴槽排水配管に流入する位置より上流側に設置し、洗濯排水が流量調整弁を通過しないようにすることが好ましい。これは、洗濯排水は流量調整の必要があるほどの水量の変動が少なく、素早い排水を行い、洗濯，すすぎ，脱水などの複数工程を有する洗濯の時間を少しでも短くするためである。
【００２２】
第１の実施の形態
図１は、本発明の第１の実施の形態を示す合併処理浄化槽であり、（ａ）は平面および配管を示す図、（ｂ）は縦断側面および配管を示す図である。
【００２３】
単独処理浄化槽１は、既設のものであり、その内部構造は、上流側から第１流入口２，第１嫌気処理室１２，第２嫌気処理室１３，沈殿室５，消毒室６，第１流出口１０を備える。第２嫌気処理１３は、接触曝気室に設けられている散気部材からの空気供給を停止することにより構成したものである。
【００２４】
合併処理化装置２０は、その内部に、接触曝気槽２１および沈殿槽２２および消毒槽２３を設ける。
【００２５】
接触曝気槽２１は、接触材２４を備え、その下部には、散気部材２５，２６を設ける。散気部材２５は、好気処理を行うために使用するものであり、常に空気泡の吐出を行う。散気部材２６は、生物膜の剥離を行う際に使用するもので、１日１回の空気吐出を１〜３０分程度行う。
【００２６】
単独処理浄化槽１と合併処理化装置２０との配管接続は、第１流出口１２と第２流入口２７とを移流管２８により接続することにより行う。ここで、消毒室６内の消毒剤容器は取り去るようにする。
【００２７】
接触曝気槽２１の底部に開口するように洗浄排水引き抜き管２９を設置し、移送ポンプ３０によって引き抜いた洗浄排水を洗浄排水移送管３１によって第１嫌気処理室１２に返送するようにする。
【００２８】
消毒槽２３には消毒剤容器３２を設置し、消毒滅菌した処理水を第２流出口３３から系外に放流するように構成する。
【００２９】
家庭から排出される屎尿，台所排水，洗面排水（以下、まとめて排水ａと言う）および洗濯排水は、第１流入口２から第１嫌気処理室１２へ流入させて固液分離および嫌気処理を行い、第２嫌気処理室１３において再度の固液分離および嫌気処理を行う。第２嫌気処理室１３を通過した処理水は、沈殿室５内で固形分の沈殿分離を行い、消毒室６から第１流出口１０を介して移流管２８へ流出させる。
【００３０】
移流管２８に流出した処理水は、第２流入口２７から合併処理化装置２０内に移流する。
【００３１】
合併処理化装置２０は、流入した処理水を接触曝気槽２１において散気部材２５から吐出する空気泡による好気処理を行い、固形物質の除去を行い、沈殿槽２２へ移流する。沈殿槽２２へ移流した処理水は、上澄み液を沈殿槽２２から消毒槽２３へ流入させて消毒滅菌処理を行って第２流出口３３から放流する。
【００３２】
接触曝気槽２１は、接触材２４に生物膜が厚く堆積して閉塞するので、定期的に散気部材２６から空気泡を吐出させて担体の攪拌を行い、接触材２４から生物膜を剥離させる。剥離した生物膜は、移送ポンプ３０を稼働させることで、洗浄排水引き抜き管２９によって引き抜いて洗浄排水移送管３１によって第１嫌気処理室１２に返送する。
【００３３】
第２の実施の形態
図２は、本発明の第２の実施の形態における合併処理浄化槽の平面および配管を示す図である。この実施の形態は、図１に示した第１の実施の形態における合併処理浄化槽の第１流出口１０と第２流入口２７を接続する移流管２８の途中に浴槽排水配管３４を接続した構成である。その他の構成は、第１の実施の形態と同様であるので、同一符号を付して重複する説明を省略する。
【００３４】
この実施の形態において、移流管２８は、汚水を単独処理浄化槽１から合併処理化装置２０へ移流させると共に、浴槽排水配管３４からの浴槽排水を合併処理化装置２０へ移流させる。
【００３５】
合併処理化装置２０は、単独処理浄化槽１から流出する処理水と浴槽排水を浄化処理して放流する。しかも、汚れの少ない浴槽排水は嫌気処理室１１，１２を通過することがないので、汚れの多い屎尿，台所排水，洗面排水および洗濯排水の嫌気処理機能を低下させることがない。
【００３６】
このような合併処理浄化槽によれば、浴槽排水も合併して浄化処理することができる。
【００３７】
第３の実施の形態
図３は、本発明の第３の実施の形態における合併処理浄化槽の平面および配管を示す図である。この実施の形態は、図２に示した第２の実施の形態における浴槽排水配管３４の途中に洗濯排水配管３５を接続した構成である。その他の構成は、第２の実施の形態と同様であるので、同一符号を付して重複する説明を省略する。
【００３８】
洗濯排水配管３５は、排水ａとして流入させていた汚れの少ない洗濯排水を排水ａとは別に浄化処理することができるように構成したものであり、洗濯排水は浴槽排水配管３４の途中に流入させる。
【００３９】
このような合併処理浄化槽によれば、汚れの少ない洗濯排水は嫌気処理室１２，１３を通過することがないので、汚れの多い屎尿，台所排水，洗面排水の嫌気処理機能を更に高めることができる。
【００４０】
第４の実施の形態
図４は、本発明の第４の実施の形態における合併処理浄化槽の平面および配管を示す図である。この実施の形態は、図２に示した第２の実施の形態における浴槽排水配管３４の途中に流量調整弁３６を接続した構成である。その他の構成は、第２の実施の形態と同様であるので、同一符号を付して重複する説明を省略する。  浴槽排水は、数分間に約２００〜３００ｌという大量の排水を発生させる。そのために、合併処理化装置２０における接触曝気槽２１の容量を十分に大きく確保していない場合には、処理が不十分な処理水をそのまま放流することになりかねない。そのために、接触曝気槽２１の容量を十分に確保できない場合には、浴槽排水配管３４に流量調整弁３６を設けることにより、浴槽排水配管３４を流れる浴槽排水の量を制限して接触曝気槽２１へ流入する水量が該接触曝気槽２１の処理の安定性を維持することができる範囲内となるように調整することができる。
【００４１】
第５の実施の形態
図５は、本発明の第５の実施の形態における合併処理浄化槽の平面および配管を示す図である。この実施の形態は、図３に示した第３の実施の形態の合併処理浄化槽における浴槽排水配管３４の途中に流量調整弁３７を接続した構成である。その他の構成は、第３の実視の形態と同様であるので、同一符号を付して重複する説明を省略する。
【００４２】
流量調整弁３７は、浴槽排水配管３４における洗濯排水配管３５の接続位置よりも上流側に設け、洗濯排水は流量調整弁３７を通過しないようにすることが好ましい。
【００４３】
このような合併処理浄化槽によれば、浴槽排水配管３４の途中に設置した流量調整弁３７は、排水量が少ない洗濯排水を制限することなく、浴槽排水配管３４を流れる浴槽排水の量を制限して接触曝気槽２１へ流入する水量が該接触曝気槽２１の処理の安定性を維持することができる範囲内となるように調整することができる。
【００４４】
第６の実施の形態
図６は、本発明の第６の実施の形態における合併処理浄化槽の縦断側面および配管を示す図である。この実施の形態は、図１に示した第１の実施の形態の合併処理浄化槽における合併処理化装置２０に流量調整槽３８を一体的に設け、この流量調整槽３８内の処理水をポンプ３９により接触曝気槽２１に移流するようにした構成である。その他の構成は、第１の実視の形態と同様であるので、同一符号を付して重複する説明を省略する。
【００４５】
この実施の形態では、排水ａおよび洗濯排水あるいは浴槽排水は、一旦、流量調整槽３８に流入させて貯留し、この流量調整槽３８からポンプ３９を使用して適量の処理水を接触曝気槽２１へ移流させる。
【００４６】
このような合併処理浄化槽によれば、流量調整弁によって排水を制限することなく安定した浄化処理を行うことができる。
【００４７】
第７の実施の形態
図７は、本発明の第７の実施の形態における合併処理浄化槽の縦断側面および配管を示す図である。この実施の形態は、図６に示した第６の実施の形態の合併処理浄化槽における合併処理化装置に設けた流量調整槽を別体に構成した構成である。その他の構成は、第６の実施の形態と同様であるので、同一符号を付して重複する説明を省略する。
【００４８】
この実施の形態では、流量調整槽３８は、合併処理化装置２０とは別体に形成して地中に埋設するように構成し、第３流入口４０に移流管２８を接続して処理水を流入させる。そして、この流量調整槽３８内に貯留する処理水をポンプ３９により移送管４１を介して合併処理化装置２０の第２流入口２７に移流するように配管接続する。
【００４９】
このような合併処理浄化槽によれば、合併処理化装置２０は地上に設置することが可能となって施工費用を低減することができる。
【００５０】
その他の実施の形態
このような合併処理浄化槽は、浄化槽を新設するときには、新しい単独処理浄化槽を単独で新設し、またはこの新しい既存の単独処理浄化槽と合併処理化装置を組み合わせて使用することにより合併処理浄化槽を構成して新設することができるので、単独処理浄化槽と合併処理浄化槽の生産効率を高めることができる。
【００５１】
【発明の効果】
本発明は、既設または既存の単独処理浄化槽を有効利用して合併処理を可能な合併処理浄化槽を構成するようにしたので、単独処理浄化槽を処分して新たに合併処理浄化槽を設置するよりも、安価に合併処理浄化槽を提供することが可能であり、既設の単独処理浄化槽を処分する必要もなくなる。
【００５２】
そして、単独処理浄化槽の好気処理部を嫌気処理部に改造することにより、汚泥貯留能力が向上し、屎尿以外の流入水が増えても汚泥引き抜き頻度の増加を抑制することができる。
【００５３】
また、浴槽排水配管を別配管にすることにより、他の生活雑排水に比較して量が多いために浄化処理を不安定にしていた浴槽排水を、消毒滅菌のみを行って系外に放出するようにすることができ、浄化処理を安定に行なうことができる。
【００５４】
更に、浴槽排水が既設の単独処理浄化槽を通過せずに消毒滅菌のみを行って系外に放出するようにしたため、既設の単独処理浄化槽の容量を大きくしなくても汚泥の流出を防ぐことができると共に、好気処理を効率的に行うことができるので、接触曝気槽の容量をコンパクトにすることができ、システム全体を小型化することが可能となる。
【００５５】
また、浴槽排水配管に流量調整弁を設けることにより、合併処理化装置の接触曝気槽あるいは消毒槽を大きくする必要がなく、効率良く排水を好気処理あるいは消毒滅菌することができる。
【００５６】
更に、合併処理化装置に流量調整槽を設けた場合には、安定した浄化処理を行うことができ、特に合併処理化装置と流量調整槽とを配管接続するようにすれば、合併処理化装置を地上設置することで施工費用を低く抑えることが可能となる。
【図面の簡単な説明】
【図１】本発明の第１の実施の形態を示す合併処理浄化槽であり、（ａ）は平面および配管を示す図、（ｂ）は縦断側面および配管を示す図である。
【図２】本発明の第２の実施の形態における合併処理浄化槽の平面および配管を示す図である。
【図３】本発明の第３の実施の形態における合併処理浄化槽の平面および配管を示す図である。
【図４】本発明の第４の実施の形態における合併処理浄化槽の平面および配管を示す図である。
【図５】本発明の第５の実施の形態における合併処理浄化槽の平面および配管を示す図である。
【図６】本発明の第６の実施の形態における合併処理浄化槽の縦断側面および配管を示す図である。
【図７】本発明の第７の実施の形態における合併処理浄化槽の縦断側面および配管を示す図である。
【図８】分離接触曝気方式の単独処理浄化槽の縦断側面図である。
【符号の説明】
１…単独処理浄化槽、５…沈殿室、１２…第１嫌気処理室、１３…第２嫌気処理室、２０…合併処理化装置、２１…接触曝気槽、２２…沈殿槽、２３…消毒槽、２８…移流管、３２…消毒剤容器。
【図１】
0004230089.tif 000002
【図２】
0004230089.tif 000003
【図３】
0004230089.tif 000004
【図４】
0004230089.tif 000005
【図５】
0004230089.tif 000006
【図６】
0004230089.tif 000007
【図７】
0004230089.tif 000008
【図８】
0004230089.tif 000009